(57)【要約】本発明は、挿入された光ディスクを迅速に識別することが可能なディスク装置を提供することを目的とする。  光ディスク１０１のデータ面および非データ面のいずれか少なくとも一方の面の表面情報を読み取るディスク読取手段１０５を備え、該ディスク読取手段１０５は、光ディスク１０１がディスク搬送手段１０４によって搬送されている状態で、前記表面情報を読み取る。【特許請求の範囲】
【請求項１】
挿入された光ディスクを所定位置へ搬送するディスク搬送手段と、
前記光ディスクのデータ面および非データ面のいずれか少なくとも一方の面の表面情報を読み取るディスク読取手段と、
を備え、
前記ディスク読取手段は、前記光ディスクが前記ディスク搬送手段によって搬送されている状態で、前記表面情報を読み取るディスク装置。
【請求項２】
請求項１記載のディスク装置であって、
前記ディスク読取手段によって読み取られた情報に基づいて前記光ディスクが再生可能か否かを判定する再生判定手段を更に備えるディスク装置。
【請求項３】
請求項２記載のディスク装置であって、
前記ディスク搬送手段は、前記再生判定手段による判定結果が再生不可である場合に、前記光ディスクを排出する方向に搬送するディスク装置。
【請求項４】
請求項２または３記載のディスク装置であって、
前記再生判定手段による判定結果が再生不可である場合に、再生不可であることを報知する報知手段を更に備えるディスク装置。
【請求項５】
請求項２ないし４のいずれか一項記載のディスク装置であって、
前記再生判定手段は、前記ディスク読取手段によって読み取られた情報から前記光ディスクの形状を識別する形状識別手段を有し、前記識別された形状に基づいて前記光ディスクが再生可能か否かを判定するディスク装置。
【請求項６】
請求項１ないし５のいずれか一項記載のディスク装置であって、
前記読み取られた情報に基づいて、前記ディスク読取手段が読み取った前記光ディスクの面が、データが記録されているデータ面か記録されていない非データ面かを識別するデータ面識別手段を更に備えるディスク装置。
【請求項７】
請求項６記載のディスク装置であって、
前記再生判定手段は、前記データ面識別手段により識別されたデータ面が所定の方向を向いていない場合に再生不可と判定し、前記ディスク搬送手段は前記再生判定手段により再生不可と判定された場合に前記光ディスクを排出する方向に搬送するディスク装置。
【請求項８】
請求項１記載のディスク装置であって、
前記ディスク読取手段は、前記データ面識別手段により識別された非データ面を撮像する撮像手段であり、
前記撮像された非データ面の画像を表示する表示手段を更に備えるディスク装置。
【請求項９】
請求項１ないし８のいずれか一項記載のディスク装置であって、
各々前記光ディスクを収納する、複数のディスク収納部と、各々の前記ディスク収納部の識別情報と前記ディスク読取手段により読み取られた情報とを対応付けて管理するディスク管理手段と、を更に備えるディスク装置。
【請求項１０】
請求項８記載のディスク装置であって、
各々前記光ディスクを収納する、複数のディスク収納部と、各々の前記ディスク収納部の識別情報と前記ディスク読取手段により読み取られた情報とを対応付けて管理するディスク管理手段とを更に備え、前記表示手段は前記ディスク収納部の識別情報に対応して前記撮像した画像を表示するディスク装置。
【請求項１１】
請求項１０記載のディスク装置であって、
前記ディスク読取手段により読み取られた情報から前記ディスクの非データ面に記載された基準マークの向きを識別し、前記基準マークの向きに合わせて前記撮像した画像を表示するディスク装置。
【発明の詳細な説明】
【技術分野】
【０００１】  本発明は、ディスク再生装置等に挿入された光ディスクを識別するディスク装置に関する。
【背景技術】
【０００２】  従来、音楽や映像を再生可能なディスク再生装置は、挿入された光ディスクを自動的にディスク再生装置内の所定位置まで搬送してディスクを回転させ、光ピックアップで情報データを読み取り開始し、光ディスクに記録された音楽や映像などを再生している。使用者は、再生された音楽や映像などにより、挿入した光ディスクの内容を識別することができる（例えば、特許文献１参照）。
【特許文献１】特開２００４−２２０５０号公報
【発明の開示】
【発明が解決しようとする課題】
【０００３】  しかしながら、上記従来のディスク再生装置にあっては、光ディスクが搬送され、再生機が動作するという一連の動作を行ってはじめて光ディスクの情報を得ることができるため、情報入手までに時間がかかり、使用者が再生したい光ディスクであるかをすぐに確認することができないという事情があった。【０００４】  本発明は、上記従来の事情に鑑みてなされたものであって、挿入された光ディスクを迅速に識別することが可能なディスク装置を提供することを目的とする。
【課題を解決するための手段】
【０００５】  本発明のディスク装置は、挿入された光ディスクを所定位置へ搬送するディスク搬送手段と、前記光ディスクのデータ面および非データ面のいずれか少なくとも一方の面の表面情報を読み取るディスク読取手段と、を備え、前記ディスク読取手段は、前記光ディスクが前記ディスク搬送手段によって搬送されている状態で、前記表面情報を読み取る構成を備える。【０００６】  この構成により、光ディスクを搬送しているときに読み取ることができるので、光ディスクを迅速に識別することができる。【０００７】  また、本発明のディスク装置は、前記ディスク読取手段によって読み取られた情報に基づいて前記光ディスクが再生可能か否かを判定する再生判定手段を更に備える。【０００８】  この構成により、挿入された光ディスクに対して、迅速に再生可能か否かを判定することができる。【０００９】  また、本発明のディスク装置において、前記ディスク搬送手段は、前記再生判定手段による判定結果が再生不可である場合に、前記光ディスクを排出する方向に搬送する。【００１０】  この構成により、再生不可な光ディスクの搬入を停止し、排出することで、再生不可な光ディスクの挿入によるトラブルを防止することができる。【００１１】  また、本発明のディスク装置は、前記再生判定手段による判定結果が再生不可である場合に、再生不可であることを報知する報知手段を更に備える。【００１２】  この構成により、挿入された光ディスクが使用不可の場合、使用者に迅速に再生不可であることを報知することができる。【００１３】  また、本発明のディスク装置において、前記再生判定手段は、前記ディスク読取手段によって読み取られた情報から前記光ディスクの形状を識別する形状識別手段を有し、前記識別された形状に基づいて前記光ディスクが再生可能か否かを判定する。【００１４】  この構成により、再生不可能な形状の光ディスクを迅速に判定することができるので、そのような光ディスクの挿入によるトラブルを防ぐことができる。【００１５】  また、本発明のディスク装置は、前記読み取られた情報に基づいて、前記ディスク読取手段が読み取った前記光ディスクの面が、データが記録されているデータ面か記録されていない非データ面かを識別するデータ面識別手段を更に備える。【００１６】  この構成により、挿入された光ディスクの向きを迅速に識別することができる。【００１７】  また、本発明のディスク装置において、前記再生判定手段は、前記データ面識別手段により識別されたデータ面が所定の方向を向いていない場合に再生不可と判定し、前記ディスク搬送手段は前記再生判定手段により再生不可と判定された場合に前記光ディスクを排出する方向に搬送する。【００１８】  この構成により、挿入された光ディスクの向きが再生可能な向きでないことを迅速に判定することができる。【００１９】  また、本発明のディスク装置において、前記ディスク読取手段は、前記データ面識別手段により識別された非データ面を撮像する撮像手段であり、前記撮像された非データ面の画像を表示する表示手段、を更に備える。【００２０】  この構成により、挿入された光ディスクの非データ面の画像を表示するので、使用者はどの光ディスクが挿入された���を迅速に認識することができる。【００２１】  また、本発明のディスク装置は、各々前記光ディスクを収納する、複数のディスク収納部と、各々の前記ディスク収納部の識別情報と前記ディスク読取手段により読み取られた情報とを対応付けて管理するディスク管理手段と、を更に備える。【００２２】  この構成により、複数のディスクを収納可能な、例えばディスクチェンジャ装置等において、どの収納部にどのディスクが挿入されるかを迅速に管理することができる。【００２３】  また、本発明のディスク装置は、各々前記光ディスクを収納する、複数のディスク収納部と、各々の前記ディスク収納部の識別情報と前記ディスク読取手段により読み取られた情報とを対応付けて管理するディスク管理手段とを更に備え、前記表示手段は前記ディスク収納部の識別情報に対応して前記撮像した画像を表示する。【００２４】  この構成により、複数のディスクを収納可能な、例えばディスクチェンジャ装置等において、使用者は複数のディスクがどの収納部に収納されたかを記憶する必要なく、分かりやすく認識することができる。【００２５】  また、本発明のディスク装置は、前記ディスク読取手段により読み取られた情報から前記ディスクの非データ面に記載された基準マークの向きを識別し、前記基準マークの向きに合わせて前記撮像した画像を表示する。【００２６】  この構成により、表示される画像が基準マークの向きに応じたものとなるので、使用者の認知度を更に向上させることができる。
【発明の効果】
【００２７】  本発明によれば、挿入された光ディスクを迅速に識別することが可能なディスク装置を提供することができる。
【図面の簡単な説明】
【００２８】
【図１】本発明の第１の実施形態に係るディスク装置を用いるディスク再生装置の内部構成を示す図
【図２】本発明の第１の実施形態に係るディスク装置を用いるディスク再生装置の要部構成を示すブロック図
【図３】本発明の第１の実施形態におけるディスク再生装置の光ディスク識別を中心とする動作を説明するためのフロー図
【図４】識別部で光ディスクが再生可能であるかを判別するとき用いる情報を示す図
【図５】具体的な形状不良の光ディスクの外周の一部を示す図
【図６】再生不可のとき外部表示部の表示例を示す図
【図７】読み取り部が表裏両側に取り付けられたディスク再生装置の内部構成を示す図
【図８】本発明の第２の実施形態に係るディスク再生装置の要部構成を示すブロック図
【図９】本発明の第２の実施形態におけるディスク再生装置の再生動作を説明するためのフロー図
【図１０】ディスクチェンジャ装置のレーベル面表示部の表示例を示す図
【符号の説明】
【００２９】  １００，８００  ディスク再生装置
１０１  光ディスク
１０２  挿入口
１０３  挿入検出センサー
１０４  搬送部
１０５  読み取り部
１０６，８０６  記憶部
１０７  識別部
１０８，８０８  制御部
１０９  再生部
１１０  保持部
１１１  光ピックアップ
１１２  外部表示部
１１３  操作部
８０５  表面撮像部
８０７  レーベル面表示部
８１３  操作ボタン
９００  ディスクチェンジャ装置
【発明を実施するための最良の形態】
【００３０】  以下、本発明の実施形態について、図面を参照して説明する。なお、本実施形態では、ディスク装置が、ディスク再生装置に適用された場合について説明する。【００３１】  （第１の実施形態）
図１は、本発明の第１の実施形態に係るディスク装置を用いるディスク再生装置の内部構成を示す図である。図２は、本発明の第１の実施形態に係るディスク装置を用いるディスク再生装置の要部構成を示すブロック図である。【００３２】  図１及び２において、ディスク再生装置１００は、光ディスク１０１を挿入する挿入口１０２と、挿入検知センサー１０３と、ディスク搬送手段の一例としての搬送部１０４と、再生判定手段の一例としての識別装置１２０と、制御部１０８と、再生部１０９と、保持部１１０と、光ピックアップ１１１と、外部表示部１１２と、操作部１１３とを有する構成である。【００３３】  光ディスク１０１は、ＣＤ、ＤＶＤ等の光ディスクであり、データが記録されたデータ面１０１ａとデータが記録されていない非データ面（所謂レーベル面）１０１ｂがあり、情報が内周から外周側（または外周から内周）に向けてスパイラル状のトラックに記録されている。【００３４】  挿入検知センサー１０３は、挿入口１０２から光ディスク１０１が挿入されたことを検知し、検知信号を後述する制御部１０８に出力するものである。【００３５】  搬送部１０４は、光ディスク１０１をディスク再生装置１００内部まで搬送する搬送ローラーを有し、光ディスク１０１を再生する際は、制御部１０８からの制御信号に従って、その光ディスク１０１をディスク再生装置１００内部の所定位置まで搬送し、光ディスク１０１の取り出しが指示された場合、あるいは搬送中の光ディスク１０１は再生できないものであると判断した場合、制御部１０８からの制御信号に従って、搬送ローラーを逆転し、光ディスク１０１を排出する。【００３６】  識別装置１２０は、光ディスク１０１がディスク再生装置１００で再生可能であるかどうかを判別するものであり、読取部１０５と、記憶部１０６と、識別部１０７とを有する構成である。【００３７】  読取手段の一例としての読取部１０５は、読取部１０５を通過した光ディスク１０１からディスク表面情報を入手するものであり、たとえば、読取部１０５は、構成要素としてリニアイメージセンサと光学系と照明光源などを含むものを用いている。リニアイメージセンサとしては、例えば横１列に並んだ多数（Ｎ個）の受光器で捕らえた光信号を、Ｎ個の順次電圧信号に変換し出力するものを用いているが、カラー化対応として、３ラインのＣＣＤ（Ｃｈａｒｇｅ−Ｃｏｕｐｌｅｄ  Ｄｅｖｉｃｅｓ）とカラーフィルタを１パッケージに組み込んだカラーＣＣＤリニアイメージセンサを用いることもできる。ここのディスク表面情報は、光ディスクの外形などである。記憶部１０６は、読取部１０５によって入手されたディスク表面情報を記憶するものである。【００３８】  識別部１０７は、記憶部１０６に記憶されているディスク表面情報から光ディスク１０１がディスク再生装置１００で再生可能かどうかを判別するものであり、ディスク再生装置１００で光ディスク１０１を再生することが不可能であると判別した場合、制御部１０８に再生ができない信号を送出する。ここで、ディスク再生装置１００で光ディスク１０１を再生することが可能であるかどうかを判別するとき、識別部１０７が再生可能な光ディスクの基本情報を格納しておいて��その再生可能な光ディスクの基本情報を読取部１０５によって入手されたディスク表面情報と比較することにより、光ディスク１０１が再生可能であるかを判別する。【００３９】  制御部１０８は、ディスク再生装置１００の全体の動作を制御するものであり、挿入検知センサー１０３からのディスク検出信号を受信すると、搬送部１０４に挿入された光ディスク１０１の搬送指示を送出する。また、識別部１０７からの再生ができない信号を受信すると、搬送部１０４に回転停止信号を送出する。【００４０】  再生部１０９は、光ディスク１０１を再生するものである。保持部１１０は、光ディスク１０１を保持するものである。【００４１】  光ピックアップ１１１は、光ディスク１０１の内周から外周（または外周から内周）へ半径方向に移動しながら、回転する光ディスク１０１上に記録された情報を光学的に読み取って電気信号に変換するものである。【００４２】  外部表示部１１２は、ディスクデータから再生されたディスクタイトルと光ディスク１０１のレーベル面から読み取ったディスク表面画像を表示し、ディスク再生装置１００で光ディスク１０１を再生することが不可能であると判別した場合、使用者に再生不可の警告を表示するものである。操作部１１３は、停止、早送り、巻き戻しなどの指示を入力するものである。【００４３】  以上のように構成されたディスク識別装置を用いたディスク再生装置について、図３を用いてそのディスク識別を中心とする動作を説明する。【００４４】  まず、光ディスク１０１がディスク挿入口１０２に挿入される（ステップＳ３０１）と、挿入検知センサー１０３は光ディスク１０１が挿入されたことを検知し、制御部１０８に挿入検知信号を出力する（ステップＳ３０２）。【００４５】  制御部１０８が挿入検知センサー１０３からの挿入検知信号を受信すると、搬送部１０４に挿入された光ディスク１０１の搬送指示を送出し、搬送部１０４はその搬送指示に従って光ディスク１０１を搬送する（ステップＳ３０３）。【００４６】  光ディスク１０１の搬送と同時に、制御部１０８が読取部１０５を動作させ、読取部１０５が通過した光ディスク１０１からディスク表面情報を入手し、入手したディスク表面情報をディスク装置１００内に設けられた記憶部１０６に記憶し、識別部１０７に表面情報を送信する（ステップＳ３０４）。【００４７】  識別部１０７が送信してきた表面情報からディスク装置１００は光ディスク１０１を再生可能かどうかを判別する（ステップＳ３０５）。ここで、ディスク再生装置１００で光ディスク１０１を再生することが可能であるかどうかを判別するとき、識別部１０７が再生可能な光ディスクの基本情報を格納しておいて、その再生可能な光ディスクの基本情報を用いて光ディスク１０１が再生可能であるかを判別する。【００４８】  図４は、識別部１０７において光ディスク１０１を再生可能であるかを判別するとき用いる情報を示す。図４において、基本情報４０１は事前に識別部１０７に格納されている再生可能な光ディスクの形状基本情報であり、読み取り外形情報４０２は、読取部１０５が読み取った光ディスク１０１の表面情報例である。表面画像情報４０３は、データ面読み取り情報である。識別部１０７は、基本情報４０１と読み取り外形情報４０２とを比較することによって光ディスク１０１を再生することが可能であるかどうかを識別する。【００４９】  光ディスクの外形は、１２０ｍｍコンパクトディスク（以下ＣＤと呼ぶ）では規格として外形曲率が６０±０．１５ｍｍである。これを基本情報４０１として、挿入された光ディスク１０１の外形を読み取り、外周画像から曲率を求め、求めた曲率がディスク再生装置１００で再生可能な範囲から外れた曲率の場合は、挿入された光ディスク１０１は再生不可な形状であると判別する。【００５０】  図５は、具体的な形状不良の光ディスク１０１の外周の一部を示す。光ディスク１０１は樹脂成型で形成されているため、成型バリの発生が懸念される。図５（Ａ）に示すように、光ディスク１０１の外周部分に生じた凹凸であるバリは、光ディスク１０１の搬送や固定保持に支障をきたすおそれがある。しかしながら、使用者には判別できないものもあるため、使用者がそのまま光ディスク１０１を挿入口１０２に挿入することがあり、トラブルの原因となる可能性がある。【００５１】  そこで、バリの大きさや形状の識別は読み取ったディスク外周画像の解像度を低くすることで外周部分のバリ所謂凹凸形状がつぶれて画像が円弧に近似される。この近似した円弧の曲率を基本情報４０１と比較して外れている場合や、近似した円弧に凹凸が残っている場合には、光ディスク１０１は再生不可な形状であると判別する。【００５２】  また、図５（Ｂ）に示されるように、読み取ったディスク外周画像に関して、所定の高さ以上の凹凸が検出された場合に、再生不可な形状であると判別してもよい。【００５３】  次に、ＣＤの歪みについてもバリと同様に成型時に残る歪みや使用環境によって発生する歪みがある。歪みについてもバリと同様に画像処理を行い、読み取った円弧が基本情報４０１と比較し外れている場合に、挿入された光ディスク１０１は再生不可な形状であると判別する。ＣＤの外形破損による欠けについてもバリと同様に判定できる。【００５４】  異形光ディスクについては、外形の曲率が大きく外れるために判定できる。重複したＣＤについては、読み取った円弧の中心位置をモニターし、そこから大きく外れる場合、すなわち２枚目の円弧を読み取ることで円弧の中心が増えた場合に、複数枚重ねられたと判断し、挿入された光ディスク１０１は再生不可な形状であると判別する。【００５５】  光ディスクの表裏誤挿入でレーベル面を再生機側に向けて挿入した場合は、レーベル面側でデータ面を検知することになり、データ面が逆向きに挿入されたと判断され、挿入された光ディスク１０１は再生不可であると判別できる。【００５６】  ステップＳ３０５において、光ディスク１０１を搬送する途中に再生ができないと判断した場合、識別部１０７が制御部１０８に再生不可信号を送出し、制御部１０８が識別部１０７からの再生不可の信号を受け取り、搬送部１０４に回転停止及び逆転送信号を送出する（ステップＳ３０６）。搬送部１０４は、制御部１０８からの回転停止及び逆転送信号を受け取り、光ディスク１０１の搬送を逆転する（ステップＳ３０７）。【００５７】  光ディスク１０１は、搬送が逆転したことにより、���入口１０２より排出される（ステップＳ３０８）。光ディスク１０１の排出動作を行うと同時に、外部表示部１１２に再生不可の警告を表示し、使用者に警告を与える（ステップＳ３０９）。図６は、再生不可のとき外部表示部１１２の表示例を示す。なお、使用者への警告は、表示部１１２による表示のほか、不図示の音声出力部から警告音の出力等、使用者へ再生不可であることを報知する種々の報知手段により行ってもよい。【００５８】  一方、ステップＳ３０５において、搬送された光ディスク１０１が搬送可能と識別部１０７が判別した場合、識別部１０７が制御部１０８に光ディスク１０１をディスク再生装置１００内の再生部１０９にセットするよう指示を出し、制御部１０８が保持部１１０にディスク保持指示を送出し、保持部１１０が制御部１０８からの保持指示を受け取り、光ディスク１０１を保持する（ステップＳ３１０）。【００５９】  光ディスク１０１が保持されると、再生部１０９は光ディスク１０１を回転させ、データを再生するための光ピックアップ１１１を動作させることによって、光ディスク１０１の再生が開始する（ステップＳ３１１）。【００６０】  光ディスク１０１の再生とともに、光ディスクデータから再生されたディスクタイトルとディスクのレーベル面の表面画像を読み取り（ステップＳ３１２）、読み取ったディスクタイトル情報とディスクのレーベル面の表面画像情報を記憶し（ステップＳ３１３）、記憶したディスクタイトルとディスクのレーベル面から読み取ったディスク表面画像を外部表示部１１２に表示する（ステップＳ３１４）。【００６１】  再生した光ディスク１０１は操作部１１３を操作することで停止、早送り、巻き戻しなどができる。なお、本実施形態の説明では、光ディスクの外形を判断する方法として外周の曲率を計測する例を説明したが、本発明はこれに限らず、円弧状のテンプレート情報などを基本情報とし、読み取った情報と重ね合わせる方法なども考えられる。この方法を用いることで判別速度を上げることができる。【００６２】  また、本実施形態の説明では、光ディスクの読取部を片面に設けた例を説明したが、本発明はこれに限らず、光ディスクの読取部を表裏両側に取り付けられてもよい。図７は、読取部が表裏両側に取り付けられたディスク再生装置の内部構成を示す図である。この構成によれば、表裏同時に読み取り可能なディスク装置を用いることで更に精度を上げることができる。また、データ面の傷を画像データとして読み取ることで挿入された光ディスクを再生不可ディスクと判別することができる。【００６３】  このような本発明の第１の実施形態におけるディスク装置を用いるディスク再生装置によれば、識別装置を設けることにより、光ディスクを再生する前に、再生不可な光ディスクを判断することができ、再生不可な光ディスクの搬入を停止し、排出することで、ディスク再生装置のトラブルを防止するころができるという効果を得られるとともに再生前に判別できるために再生時の時間ロスを低減することができる。【００６４】  （第２の実施形態）
本発明の第２の実施形態は、ディスク再生装置をディスクチェンジャ装置に組み込んだ使用例である。ディスクチェンジャは装置内に複数枚の光ディスクを収納可能な構成を有する。挿入された光ディスクは使用者が指定する図示しない収納棚に収納され、使用者が再生したい光ディスクが収納された棚の番号を選択することで再生ができる。【００６５】  図８は、本発明の第２の実施形態に係るディスク再生装置の要部構成を示すブロック図である。第１の実施形態で説明した図２と重複する部分については同一の符号を付す。図８に示すように、本実施形態のディスク再生装置８００は、撮像手段の一例としての表面撮像部８０５と、記憶部８０６と、制御部８０８と、非データ面の映像を表示する表示手段の一例としてのレーベル面表示部８０７とを備える。【００６６】  表面撮像部８０５は、挿入された光ディスクのレーベル面画像を撮像するものであり、たとえば、構成要素としてリニアイメージセンサと光学系と照明光源などを含むものを用いている。リニアイメージセンサとしては、横１列に並んだ多数（Ｎ個）の受光器で捕らえた光信号を、Ｎ個の順次電圧信号に変換し出力するものを用いているが、カラー化対応として、３ラインのＣＣＤ（Ｃｈａｒｇｅ−Ｃｏｕｐｌｅｄ  Ｄｅｖｉｃｅｓ）とカラーフィルタを１パッケージに組み込んだカラーＣＣＤリニアイメージセンサを用いることもできる。記憶部８０６は、表面撮像部８０５で撮像したレーベル面画像を使用者が指定した収納棚と関連付けて管理し、記憶するものである。【００６７】  制御部８０５は、ディスク再生装置８００の全体の動作を制御するものである。レーベル面表示部８０７は、挿入された光ディスクのレーベル面画像と使用者が指定した収納棚の番号とを関連付けて表示するものである。このレーベル面表示部８０７に収納棚の番号と連動する選択操作釦８１３がある。【００６８】  以上のように構成されたディスク再生装置について、図９を用いてその動作を説明する。【００６９】  図９において、ステップＳ３０３において光ディスクを搬送するまでの手順、すなわち、ステップＳ３０１〜Ｓ３０３の動作は、図３に示した第１実施形態と同様であるので説明を省略する。【００７０】  ステップＳ３０３において搬送部１０４が光ディスク１０１を搬送すると同時に、表面撮像部８０５が光ディスク１０１のレーベル面画像を撮像する（ステップＳ９０４）。記憶部８０６がステップＳ９０４で取得した光ディスク１０１のレーベル面画像を使用者が指定した収納棚と関連付けて記憶する（ステップＳ９０５）。レーベル面表示部８０７が、記憶部８０６で記憶されている光ディスク１０１のレーベル面画像と使用者が指定した収納棚番号とを関連付けて表示する（ステップＳ９０６）。【００７１】  また、記憶部８０６の内部に、レーベル面に記載されディスクの種類を示すための基準マークの向きを識別する基準マーク識別部と、この基準マークの正しい向きに合わせた画像の向きに修正する画像修正部を設け、上記ステップＳ９０５において、ディスク１０１のレーベル面画像を修正したあとの画像を記憶することで、上記ステップＳ９０６での表示によるユーザーの認知度が更に増すものとなる。ここで、基準マ��クとしては「ｄｉｓｃ」などのロゴマークを用いることができる。【００７２】  なお、基準マーク識別部において識別する対象は、上述したディスクの種類を示すための基準マークに限られず、文字、図形若しくは記号、又はこれらの組合せ等を対象としても良い。例えば、記憶部８０６に、所定の文字、図形若しくは記号、又はこれらの組合せ等のデータを予め記憶しておく。そして、基準マーク識別部は、ステップＳ９０４にて取得した光ディスク１０１のレーベル面の画像と、記憶されている識別対象となるデータとをマッチングする。画像修正部は、マッチングの結果、光ディスク１０１のレーベル面の画像が予め記憶されたデータと略一致する部分（マッチング該当部分という）を含んでいれば、画像の向きを、マッチング該当部分が予め定められた方向を向くように修正する。【００７３】  図１０は、ディスクチェンジャ装置９００のレーベル面表示部８０７の表示例を示す。図１０の例では、６枚掛けディスクチェンジャレーベル面表示部８０７には、収納棚順番ごとに棚の番号と読み取った光ディスク１０１のレーベル面画像が表示されている。【００７４】  使用者がレーベル面表示部８０７で表示されている光ディスク１０１のレーベル面画像を見ながら、収納棚の番号と連動する選択操作釦８１３を操作することによって、再生したいレーベル面を有する収納棚の番号を選択し（ステップＳ９０７）、図示しないチェンジャ装置が連動して再生したいディスク収納棚が図示しない再生機に固定保持されて再生を開始する（ステップＳ９０８）。【００７５】  なお、本実施形態では、選択操作釦を操作することによって、再生したいレーベル面を有する収納棚の番号を選択する例を説明したが、本発明はこれに限らず、レーベル面表示部をタッチパネル式の表示部にしてもよい。これにより、収納されているディスクの選択が更に容易となる。【００７６】  このような本発明の第２の実施形態に係るディスク再生装置によれば、ディスク装置を組み込んだディスクチェンジャはレーベル面のタイトル画像を読み取り、表示することで再生したい光ディスクを目視で確認できるという効果を有する。また、レーベル面表示部をタッチパネルにすることで操作釦の選択ミスを防止できるという効果を得られる。【００７７】  本発明を詳細にまた特定の実施態様を参照して説明したが、本発明の精神と範囲を逸脱することなく様々な変更や修正を加えることができることは当業者にとって明らかである。【００７８】  本出願は、２００４年９月１３日出願の日本特許出願（特願２００４−２６５５５５）に基づくものであり、その内容はここに参照として取り込まれる。
【産業上の利用可能性】
【００７９】  本発明のディスク装置は、挿入された光ディスクを迅速に識別することが可能な効果を有し、カーオーディオ装置等のディスク再生装置等に有用である。
【図１】
2006030729.tif 000002
【図２】
2006030729.tif 000003
【図３】
2006030729.tif 000004
【図４】
2006030729.tif 000005
【図５】
2006030729.tif 000006
【図６】
2006030729.tif 000007
【図７】
2006030729.tif 000008
【図８】
2006030729.tif 000009
【図９】
2006030729.tif 000010
【図１０】
2006030729.tif 000011
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
挿入された光ディスクを所定位置へ搬送するディスク搬送手段と、
前記光ディスクのデータ面および非データ面のいずれか少なくとも一方の面の表面情報を読み取るディスク読取手段と、
を備え、
前記ディスク読取手段は、前記光ディスクが前記ディスク搬送手段によって搬送されている状態で、前記表面情報を読み取るディスク装置。
【請求項２】
請求項１記載のディスク装置であって、
前記ディスク読取手段によって読み取られた情報に基づいて前記光ディスクが再生可能か否かを判定する再生判定手段を更に備えるディスク装置。
【請求項３】
請求項２記載のディスク装置であって、
前記ディスク搬送手段は、前記再生判定手段による判定結果が再生不可である場合に、前記光ディスクを排出する方向に搬送するディスク装置。
【請求項４】
請求項２または３記載のディスク装置であって、
前記再生判定手段による判定結果が再生不可である場合に、再生不可であることを報知する報知手段を更に備えるディスク装置。
【請求項５】
請求項２ないし４のいずれか一項記載のディスク装置であって、
前記再生判定手段は、前記ディスク読取手段によって読み取られた情報から前記光ディスクの形状を識別する形状識別手段を有し、前記識別された形状に基づいて前記光ディスクが再生可能か否かを判定するディスク装置。
【請求項６】
請求項１ないし５のいずれか一項記載のディスク装置であって、
前記読み取られた情報に基づいて、前記ディスク読取手段が読み取った前記光ディスクの面が、データが記録されているデータ面か記録されていない非データ面かを識別するデータ面識別手段を更に備えるディスク装置。
【請求項７】
請求項６記載のディスク装置であって、
前記再生判定手段は、前記データ面識別手段により識別されたデータ面が所定の方向を向いていない場合に再生不可と判定し、前記ディスク搬送手段は前記再生判定手段により再生不可と判定された場合に前記光ディスクを排出する方向に搬送するディスク装置。
【請求項８】
請求項１記載のディスク装置であって、
前記ディスク読取手段は、前記データ面識別手段により識別された非データ面を撮像する撮像手段であり、
前記撮像された非データ面の画像を表示する表示手段を更に備えるディスク装置。
【請求項９】
請求項１ないし８のいずれか一項記載のディスク装置であって、
各々前記光ディスクを収納する、複数のディスク収納部と、各々の前記ディスク収納部の識別情報と前記ディスク読取手段により読み取られた情報とを対応付けて管理するディスク管理手段と、を更に備えるディスク装置。
【請求項１０】
請求項８記載のディスク装置であって、
各々前記光ディスクを収納する、複数のディスク収納部と、各々の前記ディスク収納部の識別情報と前記ディスク読取手段により読み取られた情報とを対応付けて管理するディスク管理手段とを更に備え、前記表示手段は前記ディスク収納部の識別情報に対応して前記撮像した画像を表示するディスク装置。
【請求項１１】
請求項１０記載のディスク装置であって、
前記ディスク読取手段により読み取られた情報から前記ディスクの非データ面に記載された基準マークの向きを識別し、前記基準マークの向きに合わせて前記撮像した画像を表示するディスク装置。
【手続補正２】
【補正対象書類名】明細書
【補正対象項目名】全文
【補正方法】変更
【補正の内容】
【発明の詳細な説明】
【技術分野】
【０００１】
本発明は、ディスク再生装置等に挿入された光ディスクを識別するディスク装置に関する。
【背景技術】
【０００２】
従来、音楽や映像を再生可能なディスク再生装置は、挿入された光ディスクを自動的にディスク再生装置内の所定位置まで搬送してディスクを回転させ、光ピックアップで情報データを読み取り開始し、光ディスクに記録された音楽や映像などを再生している。使用者は、再生された音楽や映像などにより、挿入した光ディスクの内容を識別することができる（例えば、特許文献１参照）。
【特許文献１】特開２００４−２２０５０号公報
【発明の開示】
【発明が解決しようとする課題】
【０００３】
しかしながら、上記従来のディスク再生装置にあっては、光ディスクが搬送され、再生機が動作するという一連の動作を行ってはじめて光ディスクの情報を得ることができるため、情報入手までに時間がかかり、使用者が再生したい光ディスクであるかをすぐに確認することができないという事情があった。
【０００４】
本発明は、上記従来の事情に鑑みてなされたものであって、挿入された光ディスクを迅速に識別することが可能なディスク装置を提供することを目的とする。
【課題を解決するための手段】
【０００５】
本発明のディスク装置は、挿入された光ディスクを所定位置へ搬送するディスク搬送手段と、前記光ディスクのデータ面および非データ面のいずれか少なくとも一方の面の表面情報を読み取るディスク読取手段と、を備え、前記ディスク読取手段は、前記光ディスクが前記ディスク搬送手段によって搬送されている状態で、前記表面情報を読み取る構成を備える。
【０００６】
この構成により、光ディスクを搬送しているときに読み取ることができるので、光ディスクを迅速に識別することができる。
【０００７】
また、本発明のディスク装置は、前記ディスク読取手段によって読み取られた情報に基づいて前記光ディスクが再生可能か否かを判定する再生判定手段を更に備える。
【０００８】
この構成により、挿入された光ディスクに対して、迅速に再生可能か否かを判定することができる。
【０００９】
また、本発明のディスク装置において、前記ディスク搬送手段は、前記再生判定手段による判定結果が再生不可である場合に、前記光ディスクを排出する方向に搬送する。
【００１０】
この構成により、再生不可な光ディスクの搬入を停止し、排出することで、再生不可な光ディスクの挿入によるトラブルを防止することができる。
【００１１】
また、本発明のディスク装置は、前記再生判定手段による判定結果が再生不可である場合に、再生不可であることを報知する報知手段を更に備える。
【００１２】
この構成により、挿入された光ディスクが使用不可の場合、使用者に迅速に再生不可であることを報知することができる。
【００１３】
また、本発明のディスク装置において、前記再生判定手段は、前記ディスク読取手段によって読み取られた情報から前記光ディスクの形状を識別する形状識別手段を有し、前記識別された形状に基づいて前記光ディスクが再生可能か否かを判定する。
【００１４】
この構成により、再生不可能な形状の光ディスクを迅速に判定することができるので、そのような光ディスクの挿入によるトラブルを防ぐことができる。
【００１５】
また、本発明のディスク装置は、前記読み取られた情報に基づいて、前記ディスク読取手段が読み取った前記光ディスクの面が、データが記録されているデータ面か記録されていない非データ面かを識別するデータ面識別手段を更に備える。
【００１６】
この構成により、挿入された光ディスクの向きを迅速に識別することができる。
【００１７】
また、本発明のディスク装置において、前記再生判定手段は、前記データ面識別手段により識別されたデータ面が所定の方向を向いていない場合に再生不可と判定し、前記ディスク搬送手段は前記再生判定手段により再生不可と判定された場合に前記光ディスクを排出する方向に搬送する。
【００１８】
この構成により、挿入された光ディスクの向きが再生可能な向きでないことを迅速に判定することができる。
【００１９】
また、本発明のディスク装置において、前記ディスク読取手段は、前記データ面識別手段により識別された非データ面を撮像する撮像手段であり、前記撮像された非データ面の画像を表示する表示手段、を更に備える。
【００２０】
この構成により、挿入された光ディスクの非データ面の画像を表示するので、使用者はどの光ディスクが挿入されたかを迅速に認識することができる。
【００２１】
また、本発明のディスク装置は、各々前記光ディスクを収納する、複数のディスク収納部と、各々の前記ディスク収納部の識別情報と前記ディスク読取手段により読み取られた情報とを対応付けて管理するディスク管理手段と、を更に備える。
【００２２】
この構成により、複数のディスクを収納可能な、例えばディスクチェンジャ装置等において、どの収納部にどのディスクが挿入されるかを迅速に管理することができる。
【００２３】
また、本発明のディスク装置は、各々前記光ディスクを収納する、複数のディスク収納部と、各々の前記ディスク収納部の識別情報と前記ディスク読取手段により読み取られた情報とを対応付けて管理するディスク管理手段とを更に備え、前記表示手段は前記ディスク収納部の識別情報に対応して前記撮像した画像を表示する。
【００２４】
この構成により、複数のディスクを収納可能な、例えばディスクチェンジャ装置等において、使用者は複数のディスクがどの収納部に収納されたかを記憶する必要なく、分かりやすく認識することができる。
【００２５】
また、本発明のディスク装置は、前記ディスク読取手段により読み取られた情報から前記ディスクの非データ面に記載された基準マークの向きを識別し、前記基準マークの向きに合わせて前記撮像した画像を表示する。
【００２６】
この構成により、表示される画像が基準マークの向きに応じたものとなるので、使用者の認知度を更に向上させることができる。
【発明の効果】
【００２７】
本発明によれば、挿入された光ディスクを迅速に識別することが可能なディスク装置を提供することができる。
【発明を実施するための最良の形態】
【００２８】
以下、本発明の実施形態について、図面を参照して説明する。なお、本実施形態では、ディスク装置が、ディスク再生装置に適用された場合について説明する。
【００２９】
（第１の実施形態）
図１は、本発明の第１の実施形態に係るディスク装置を用いるディスク再生装置の内部構成を示す図である。図２は、本発明の第１の実施形態に係るディスク装置を用いるディスク再生装置の要部構成を示すブロック図である。
【００３０】
図１及び２において、ディスク再生装置１００は、光ディスク１０１を挿入する挿入口１０２と、挿入検知センサー１０３と、ディスク搬送手段の一例としての搬送部１０４と、再生判定手段の一例としての識別装置１２０と、制御部１０８と、再生部１０９と、保持部１１０と、光ピックアップ１１１と、外部表示部１１２と、操作部１１３とを有する構成である。
【００３１】
光ディスク１０１は、ＣＤ、ＤＶＤ等の光ディスクであり、データが記録されたデータ面１０１ａとデータが記録されていない非データ面（所謂レーベル面）１０１ｂがあり、情報が内周から外周側（または外周から内周）に向けてスパイラル状のトラックに記録されている。
【００３２】
挿入検知センサー１０３は、挿入口１０２から光ディスク１０１が挿入されたことを検知し、検知信号を後述する制御部１０８に出力するものである。
【００３３】
搬送部１０４は、光ディスク１０１をディスク再生装置１００内部まで搬送する搬送ローラーを有し、光ディスク１０１を再生する際は、制御部１０８からの制御信号に従って、その光ディスク１０１をディスク再生装置１００内部の所定位置まで搬送し、光ディスク１０１の取り出しが指示された場合、あるいは搬送中の光ディスク１０１は再生できないものであると判断した場合、制御部１０８からの制御信号に従って、搬送ローラーを逆転し、光ディスク１０１を排出する。
【００３４】
識別装置１２０は、光ディスク１０１がディスク再生装置１００で再生可能であるかどうかを判別するものであり、読取部１０５と、記憶部１０６と、識別部１０７とを有する構成である。
【００３５】
読取手段の一例としての読取部１０５は、読取部１０５を通過した光ディスク１０１からディスク表面情報を入手するものであり、たとえば、読取部１０５は、構成要素としてリニアイメージセンサと光学系と照明光源などを含むものを用いている。リニアイメージセンサとしては、例えば横１列に並んだ多数（Ｎ個）の受光器で捕らえた光信号を、Ｎ個の順次電圧信号に変換し出力するものを用いているが、カラー化対応として、３ラインのＣＣＤ（Charge-Coupled Devices）とカラーフィルタを１パッケージに組み込んだカラーＣＣＤリニアイメージセンサを用いることもできる。ここのディスク表面情報は、光ディスクの外形などである。記憶部１０６は、読取部１０５によって入手されたディスク表面情報を記憶するものである。
【００３６】
識別部１０７は、記憶部１０６に記憶されているディスク表面情報から光ディスク１０１がディスク再生装置１００で再生可能かどうかを判別するものであり、ディスク再生装置１００で光ディスク１０１を再生することが不可能であると判別した場合、制御部１０８に再生ができない信号を送出する。ここで、ディスク再生装置１００で光ディスク１０１を再生することが可能であるかどうかを判別するとき、識別部１０７が再生可能な光ディスクの基本情報を格納しておいて、その再生可能な光ディスクの基本情報を読取部１０５によって入手されたディスク表面情報と比較することにより、光ディスク１０１が再生可能であるかを判別する。
【００３７】
制御部１０８は、ディスク再生装置１００の全体の動作を制御するものであり、挿入検知センサー１０３からのディスク検出信号を受信すると、搬送部１０４に挿入された光ディスク１０１の搬送指示を送出する。また、識別部１０７からの再生ができない信号を受信すると、搬送部１０４に回転停止信号を送出する。
【００３８】
再生部１０９は、光ディスク１０１を再生するものである。保持部１１０は、光ディスク１０１を保持するものである。
【００３９】
光ピックアップ１１１は、光ディスク１０１の内周から外周（または外周から内周）へ半径方向に移動しながら、回転する光ディスク１０１上に記録された情報を光学的に読み取って電気信号に変換するものである。
【００４０】
外部表示部１１２は、ディスクデータから再生されたディスクタイトルと光ディスク１０１のレーベル面から読み取ったディスク表面画像を表示し、ディスク再生装置１００で光ディスク１０１を再生することが不可能であると判別した場合、使用者に再生不可の警告を表示するものである。操作部１１３は、停止、早送り、巻き戻しなどの指示を入力するものである。
【００４１】
以上のように構成されたディスク識別装置を用いたディスク再生装置について、図３を用いてそのディスク識別を中心とする動作を説明する。
【００４２】
まず、光ディスク１０１がディスク挿入口１０２に挿入される（ステップＳ３０１）と、挿入検知センサー１０３は光ディスク１０１が挿入されたことを検知し、制御部１０８に挿入検知信号を出力する（ステップＳ３０２）。
【００４３】
制御部１０８が挿入検知センサー１０３からの挿入検知信号を受信すると、搬送部１０４に挿入された光ディスク１０１の搬送指示を送出し、搬送部１０４はその搬送指示に従って光ディスク１０１を搬送する（ステップＳ３０３）。
【００４４】
光ディスク１０１の搬送と同時に、制御部１０８が読取部１０５を動作させ、読取部１０５が通過した光ディスク１０１からディスク表面情報を入手し、入手したディスク表面情報をディスク装置１００内に設けられた記憶部１０６に記憶し、識別部１０７に表面情報を送信する（ステップＳ３０４）。
【００４５】
識別部１０７が送信してきた表面情報からディスク装置１００は光ディスク１０１を再生可能かどうかを判別する（ステップＳ３０５）。ここで、ディスク再生装置１００で光ディスク１０１を再生することが可能であるかどうかを判別するとき、識別部１０７が再生可能な光ディスクの基本情報を格納しておいて、その再生可能な光ディスクの基本情報を用いて光ディスク１０１が再生可能であるかを判別する。
【００４６】
図４は、識別部１０７において光ディスク１０１を再生可能であるかを判別するとき用いる情報を示す。図４において、基本情報４０１は事前に識別部１０７に格納されている再生可能な光ディスクの形状基本情報であり、読み取り外形情報４０２は、読取部１０５が読み取った光ディスク１０１の表面情報例である。表面画像情報４０３は、データ面読み取り情報である。識別部１０７は、基本情報４０１と読み取り外形情報４０２とを比較することによって光ディスク１０１を再生することが可能であるかどうかを識別する。
【００４７】
光ディスクの外形は、１２０ｍｍコンパクトディスク（以下ＣＤと呼ぶ）では規格として外形曲率が６０±０．１５ｍｍである。これを基本情報４０１として、挿入された光ディスク１０１の外形を読み取り、外周画像から曲率を求め、求めた曲率がディスク再生装置１００で再生可能な範囲から外れた曲率の場合は、挿入された光ディスク１０１は再生不可な形状であると判別する。
【００４８】
図５は、具体的な形状不良の光ディスク１０１の外周の一部を示す。光ディスク１０１は樹脂成型で形成されているため、成型バリの発生が懸念される。図５（Ａ）に示すように、光ディスク１０１の外周部分に生じた凹凸であるバリは、光ディスク１０１の搬送や固定保持に支障をきたすおそれがある。しかしながら、使用者には判別できないものもあるため、使用者がそのまま光ディスク１０１を挿入口１０２に挿入することがあり、トラブルの原因となる可能性がある。
【００４９】
そこで、バリの大きさや形状の識別は読み取ったディスク外周画像の解像度を低くすることで外周部分のバリ所謂凹凸形状がつぶれて画像が円弧に近似される。この近似した円弧の曲率を基本情報４０１と比較して外れている場合や、近似した円弧に凹凸が残っている場合には、光ディスク１０１は再生不可な形状であると判別する。
【００５０】
また、図５（Ｂ）に示されるように、読み取ったディスク外周画像に関して、所定の高さ以上の凹凸が検出された場合に、再生不可な形状であると判別してもよい。
【００５１】
次に、ＣＤの歪みについてもバリと同様に成型時に残る歪みや使用環境によって発生する歪みがある。歪みについてもバリと同様に画像処理を行い、読み取った円弧が基本情報４０１と比較し外れている場合に、挿入された光ディスク１０１は再生不可な形状であると判別する。ＣＤの外形破損による欠けについてもバリと同様に判定できる。
【００５２】
異形光ディスクについては、外形の曲率が大きく外れるために判定できる。重複したＣＤについては、読み取った円弧の中心位置をモニターし、そこから大きく外れる場合、すなわち２枚目の円弧を読み取ることで円弧の中心が増えた場合に、複数枚重ねられたと判断し、挿入された光ディスク１０１は再生不可な形状であると判別する。
【００５３】
光ディスクの表裏誤挿入でレーベル面を再生機側に向けて挿入した場合は、レーベル面側でデータ面を検知することになり、データ面が逆向きに挿入されたと判断され、挿入された光ディスク１０１は再生不可であると判別できる。
【００５４】
ステップＳ３０５において、光ディスク１０１を搬送する途中に再生ができないと判断した場合、識別部１０７が制御部１０８に再生不可信号を送出し、制御部１０８が識別部１０７からの再生不可の信号を受け取り、搬送部１０４に回転停止及び逆転送信号を送出する（ステップＳ３０６）。搬送部１０４は、制御部１０８からの回転停止及び逆転送信号を受け取り、光ディスク１０１の搬送を逆転する（ステップＳ３０７）。
【００５５】
光ディスク１０１は、搬送が逆転したことにより、挿入口１０２より排出される（ステップＳ３０８）。光ディスク１０１の排出動作を行うと同時に、外部表示部１１２に再生不可の警告を表示し、使用者に警告を与える（ステップＳ３０９）。図６は、再生不可のとき外部表示部１１２の表示例を示す。なお、使用者への警告は、表示部１１２による表示のほか、不図示の音声出力部から警告音の出力等、使用者へ再生不可であることを報知する種々の報知手段により行ってもよい。
【００５６】
一方、ステップＳ３０５において、搬送された光ディスク１０１が搬送可能と識別部１０７が判別した場合、識別部１０７が制御部１０８に光ディスク１０１をディスク再生装置１００内の再生部１０９にセットするよう指示を出し、制御部１０８が保持部１１０にディスク保持指示を送出し、保持部１１０が制御部１０８からの保持指示を受け取り、光ディスク１０１を保持する（ステップＳ３１０）。
【００５７】
光ディスク１０１が保持されると、再生部１０９は光ディスク１０１を回転させ、データを再生するための光ピックアップ１１１を動作させることによって、光ディスク１０１の再生が開始する（ステップＳ３１１）。
【００５８】
光ディスク１０１の再生とともに、光ディスクデータから再生されたディスクタイトルとディスクのレーベル面の表面画像を読み取り（ステップＳ３１２）、読み取ったディスクタイトル情報とディスクのレーベル面の表面画像情報を記憶し（ステップＳ３１３）、記憶したディスクタイトルとディスクのレーベル面から読み取ったディスク表面画像を外部表示部１１２に表示する（ステップＳ３１４）。
【００５９】
再生した光ディスク１０１は操作部１１３を操作することで停止、早送り、巻き戻しなどができる。なお、本実施形態の説明では、光ディスクの外形を判断する方法として外周の曲率を計測する例を説明したが、本発明はこれに限らず、円弧状のテンプレート情報などを基本情報とし、読み取った情報と重ね合わせる方法なども考えられる。この方法を用いることで判別速度を上げることができる。
【００６０】
また、本実施形態の説明では、光ディスクの読取部を片面に設けた例を説明したが、本発明はこれに限らず、光ディスクの読取部を表裏両側に取り付けられてもよい。図７は、読取部が表裏両側に取り付けられたディスク再生装置の内部構成を示す図である。この構成によれば、表裏同時に読み取り可能なディスク装置を用いることで更に精度を上げることができる。また、データ面の傷を画像データとして読み取ることで挿入された光ディスクを再生不可ディスクと判別することができる。
【００６１】
このような本発明の第１の実施形態におけるディスク装置を用いるディスク再生装置によれば、識別装置を設けることにより、光ディスクを再生する前に、再生不可な光ディスクを判断することができ、再生不可な光ディスクの搬入を停止し、排出することで、ディスク再生装置のトラブルを防止するころができるという効果を得られるとともに再生前に判別できるために再生時の時間ロスを低減することができる。
【００６２】
（第２の実施形態）
本発明の第２の実施形態は、ディスク再生装置をディスクチェンジャ装置に組み込んだ使用例である。ディスクチェンジャは装置内に複数枚の光ディスクを収納可能な構成を有する。挿入された光ディスクは使用者が指定する図示しない収納棚に収納され、使用者が再生したい光ディスクが収納された棚の番号を選択することで再生ができる。
【００６３】
図８は、本発明の第２の実施形態に係るディスク再生装置の要部構成を示すブロック図である。第１の実施形態で説明した図２と重複する部分については同一の符号を付す。図８に示すように、本実施形態のディスク再生装置８００は、撮像手段の一例としての表面撮像部８０５と、記憶部８０６と、制御部８０８と、非データ面の映像を表示する表示手段の一例としてのレーベル面表示部８０７とを備える。
【００６４】
表面撮像部８０５は、挿入された光ディスクのレーベル面画像を撮像するものであり、たとえば、構成要素としてリニアイメージセンサと光学系と照明光源などを含むものを用いている。リニアイメージセンサとしては、横１列に並んだ多数（Ｎ個）の受光器で捕らえた光信号を、Ｎ個の順次電圧信号に変換し出力するものを用いているが、カラー化対応として、３ラインのＣＣＤ（Charge-Coupled Devices）とカラーフィルタを１パッケージに組み込んだカラーＣＣＤリニアイメージセンサを用いることもできる。記憶部８０６は、表面撮像部８０５で撮像したレーベル面画像を使用者が指定した収納棚と関連付けて管理し、記憶するものである。
【００６５】
制御部８０５は、ディスク再生装置８００の全体の動作を制御するものである。レーベル面表示部８０７は、挿入された光ディスクのレーベル面画像と使用者が指定した収納棚の番号とを関連付けて表示するものである。このレーベル面表示部８０７に収納棚の番号と連動する選択操作釦８１３がある。
【００６６】
以上のように構成されたディスク再生装置について、図９を用いてその動作を説明する。
【００６７】
図９において、ステップＳ３０３において光ディスクを搬送するまでの手順、すなわち、ステップＳ３０１〜Ｓ３０３の動作は、図３に示した第１実施形態と同様であるので説明を省略する。
【００６８】
ステップＳ３０３において搬送部１０４が光ディスク１０１を搬送すると同時に、表面撮像部８０５が光ディスク１０１のレーベル面画像を撮像する（ステップＳ９０４）。記憶部８０６がステップＳ９０４で取得した光ディスク１０１のレーベル面画像を使用者が指定した収納棚と関連付けて記憶する（ステップＳ９０５）。レーベル面表示部８０７が、記憶部８０６で記憶されている光ディスク１０１のレーベル面画像と使用者が指定した収納棚番号とを関連付けて表示する（ステップＳ９０６）。
【００６９】
また、記憶部８０６の内部に、レーベル面に記載されディスクの種類を示すための基準マークの向きを識別する基準マーク識別部と、この基準マークの正しい向きに合わせた画像の向きに修正する画像修正部を設け、上記ステップＳ９０５において、ディスク１０１のレーベル面画像を修正したあとの画像を記憶することで、上記ステップＳ９０６での表示によるユーザーの認知度が更に増すものとなる。ここで、基準マークとしては「ｄｉｓｃ」などのロゴマークを用いることができる。
【００７０】
なお、基準マーク識別部において識別する対象は、上述したディスクの種類を示すための基準マークに限られず、文字、図形若しくは記号、又はこれらの組合せ等を対象としても良い。例えば、記憶部８０６に、所定の文字、図形若しくは記号、又はこれらの組合せ等のデータを予め記憶しておく。そして、基準マーク識別部は、ステップＳ９０４にて取得した光ディスク１０１のレーベル面の画像と、記憶されている識別対象となるデータとをマッチングする。画像修正部は、マッチングの結果、光ディスク１０１のレーベル面の画像が予め記憶されたデータと略一致する部分（マッチング該当部分という）を含んでいれば、画像の向きを、マッチング該当部分が予め定められた方向を向くように修正する。
【００７１】
図１０は、ディスクチェンジャ装置９００のレーベル面表示部８０７の表示例を示す。図１０の例では、６枚掛けディスクチェンジャレーベル面表示部８０７には、収納棚順番ごとに棚の番号と読み取った光ディスク１０１のレーベル面画像が表示されている。
【００７２】
使用者がレーベル面表示部８０７で表示されている光ディスク１０１のレーベル面画像を見ながら、収納棚の番号と連動する選択操作釦８１３を操作することによって、再生したいレーベル面を有する収納棚の番号を選択し（ステップＳ９０７）、図示しないチェンジャ装置が連動して再生したいディスク収納棚が図示しない再生機に固定保持されて再生を開始する（ステップＳ９０８）。
【００７３】
なお、本実施形態では、選択操作釦を操作することによって、再生したいレーベル面を有する収納棚の番号を選択する例を説明したが、本発明はこれに限らず、レーベル面表示部をタッチパネル式の表示部にしてもよい。これにより、収納されているディスクの選択が更に容易となる。
【００７４】
このような本発明の第２の実施形態に係るディスク再生装置によれば、ディスク装置を組み込んだディスクチェンジャはレーベル面のタイトル画像を読み取り、表示することで再生したい光ディスクを目視で確認できるという効果を有する。また、レーベル面表示部をタッチパネルにすることで操作釦の選択ミスを防止できるという効果を得られる。
【００７５】
本発明を詳細にまた特定の実施態様を参照して説明したが、本発明の精神と範囲を逸脱することなく様々な変更や修正を加えることができることは当業者にとって明らかである。
【００７６】
本出願は、２００４年９月１３日出願の日本特許出願（特願２００４−２６５５５５）に基づくものであり、その内容はここに参照として取り込まれる。
【産業上の利用可能性】
【００７７】
本発明のディスク装置は、挿入された光ディスクを迅速に識別することが可能な効果を有し、カーオーディオ装置等のディスク再生装置等に有用である。
【図面の簡単な説明】
【００７８】
【図１】本発明の第１の実施形態に係るディスク装置を用いるディスク再生装置の内部構成を示す図
【図２】本発明の第１の実施形態に係るディスク装置を用いるディスク再生装置の要部構成を示すブロック図
【図３】本発明の第１の実施形態におけるディスク再生装置の光ディスク識別を中心とする動作を説明するためのフロー図
【図４】識別部で光ディスクが再生可能であるかを判別するとき用いる情報を示す図
【図５】具体的な形状不良の光ディスクの外周の一部を示す図
【図６】再生不可のとき外部表示部の表示例を示す図
【図７】読み取り部が表裏両側に取り付けられたディスク再生装置の内部構成を示す図
【図８】本発明の第２の実施形態に係るディスク再生装置の要部構成を示すブロック図
【図９】本発明の第２の実施形態におけるディスク再生装置の再生動作を説明するためのフロー図
【図１０】ディスクチェンジャ装置のレーベル面表示部の表示例を示す図
【符号の説明】
【００７９】
１００，８００  ディスク再生装置
１０１  光ディスク
１０２  挿入口
１０３  挿入検出センサー
１０４  搬送部
１０５  読み取り部
１０６，８０６  記憶部
１０７  識別部
１０８，８０８  制御部
１０９  再生部
１１０  保持部
１１１  光ピックアップ
１１２  外部表示部
１１３  操作部
８０５  表面撮像部
８０７  レーベル面表示部
８１３  操作ボタン
９００  ディスクチェンジャ装置
【手続補正３】
【補正対象書類名】図面
【補正対象項目名】全図
【補正方法】変更
【補正の内容】
【図１】
2006030729.tif 000012
【図２】
2006030729.tif 000013
【図３】
2006030729.tif 000014
【図４】
2006030729.tif 000015
【図５】
2006030729.tif 000016
【図６】
2006030729.tif 000017
【図７】
2006030729.tif 000018
【図８】
2006030729.tif 000019
【図９】
2006030729.tif 000020
【図１０】
2006030729.tif 000021
【国際調査報告】
2006030729.tif 000022
2006030729.tif 000023
2006030729.tif 000024
2006030729.tif 000025